【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
Ｗｅｂサーバが動作してサービスの提供を制御する情報処理装置とＷｅｂブラウザが動作して該サービスが提供されるクライアント装置とがネットワークを介して接続されたＷｅｂ環境で動作するシステムにおける前記情報処理装置であって、
サービスを提供するジョブの履歴を該サービスを要求したユーザのユーザ識別子と共に保持する保持手段と、
クライアント装置のユーザからＷｅｂブラウザを介して前記Ｗｅｂサーバにジョブの履歴の閲覧要求があった場合に、前記保持手段に保持された履歴から閲覧要求をしたユーザのユーザ識別子と一致するユーザ識別子を有する履歴を取得する取得手段と、
前記取得手段が取得した履歴に基づいて、更新情報を配信するためのファイルを作成する作成手段と、
前記作成手段により作成されたファイルを前記Ｗｅｂブラウザに送信する送信手段と
を有することを特徴とする情報処理装置。
【請求項２】
前記取得手段は、前記閲覧要求をしたユーザのユーザ識別子を認証する認証手段を有し、認証が成功した場合に、前記ユーザ識別子を有する履歴を取得することを特徴とする請求項１に記載の情報処理装置。
【請求項３】
前記取得手段は、前記閲覧要求をしたユーザがすでに認証済かを判定する認証判定手段を有し、すでに認証済であった場合に前記認証手段による認証処理をスキップすることを特徴とする請求項２に記載の情報処理装置。
【請求項４】
前記認証手段によるユーザの認証に失敗した場合に、前記送信手段は認証失敗を通知する情報を前記Ｗｅｂブラウザに送信することを特徴とする請求項２に記載の情報処理装置。
【請求項５】
ジョブのステータスに変更があった場合に、当該ステータスを判定するステータス判定手段と、
前記ステータス判定手段が判定したステータスに応じて、前記保持手段に保持された履歴に含める異なる参照先アドレスを決定する決定手段とを更に有し、
前記保持手段は、前記サービスを要求したユーザのユーザ識別子と前記決定された参照先アドレスとを含む履歴を保持し、
前記作成手段は、前記参照先アドレスを含む更新情報を配信するためのファイルを作成することを特徴とする請求項１乃至４のいずれか１項に記載の情報処理装置。
【請求項６】
前記作成手段は、前記ステータス判定手段が判定したステータスがサービスを提供するサービス提供デバイスの動作中であるか否かを判定する手段を含み、
前記判定の結果、前記ステータス判定手段が判定したステータスがサービスを提供するサービス提供デバイスの動作中である場合には、前記更新情報を配信するためのファイルに含める履歴をステータスが動作中、完了、エラーの履歴とし、
前記判定の結果、前記ステータス判定手段が判定したステータスがサービスを提供するサービス提供デバイスの動作中でない場合には、前記更新情報を配信するためのファイルに含める履歴をステータスが完了、エラーの履歴とすることを特徴とする請求項５に記載の情報処理装置。
【請求項７】
前記サービスは印刷サービスであって、前記システムは画像形成装置を含む印刷システムであることを特徴とする請求項１乃至６のいずれか１項に記載の情報処理装置。
【請求項８】
Ｗｅｂサーバが動作してサービスの提供を制御する情報処理装置とＷｅｂブラウザが動作して該サービスが提供されるクライアント装置とがネットワークを介して接続されたＷｅｂ環境で動作するシステムにおける前記情報処理装置の制御方法であって、
保持手段が、サービスを提供するジョブの履歴を該サービスを要求したユーザのユーザ識別子と共に保持する保持工程と、
取得手段が、クライアント装置のユーザからＷｅｂブラウザを介して前記Ｗｅｂサーバにジョブの履歴の閲覧要求があった場合に、前記保持工程で保持された履歴から閲覧要求をしたユーザのユーザ識別子と一致するユーザ識別子を有する履歴を取得する取得工程と、
作成手段が、前記取得工程で取得した履歴に基づいて、更新情報を配信するためのファイルを作成する作成工程と、
送信手段が、前記作成工程で作成されたファイルを前記Ｗｅｂブラウザに送信する送信工程と
を有することを特徴とする情報処理装置の制御方法。
【請求項９】
請求項８に記載の情報処理装置の制御方法の各工程をコンピュータに実行させるためのプログラム。
【請求項１０】
請求項９に記載のプログラムを記憶したコンピュータが読み取り可能な記憶媒体。
【請求項１１】
Ｗｅｂサーバが動作してサービスの提供を制御するサービス提供サーバとＷｅｂブラウザが動作して該サービスが提供されるクライアント装置とがネットワークを介して接続されたＷｅｂ環境で動作するシステムであって、
前記サービス提供サーバが、
サービスを提供するジョブの履歴を該サービスを要求したユーザのユーザ識別子と共に保持する保持手段と、
クライアント装置のユーザからＷｅｂブラウザを介して前記Ｗｅｂサーバにジョブの履歴の閲覧要求があった場合に、前記保持手段に保持された履歴から閲覧要求をしたユーザのユーザ識別子と一致するユーザ識別子を有する履歴を取得する取得手段と、
前記取得手段が取得した履歴に基づいて、更新情報を配信するためのファイルを作成する作成手段と、
前記作成手段により作成されたファイルを前記Ｗｅｂブラウザに送信する送信手段と
を有することを特徴とするシステム。
【請求項１２】
Ｗｅｂサーバが動作してサービスの提供を制御するサービス提供サーバとＷｅｂブラウザが動作して該サービスが提供されるクライアント装置とがネットワークを介して接続されたＷｅｂ環境で動作するシステムの制御方法であって、
保持手段が、サービスを提供するジョブの履歴を該サービスを要求したユーザのユーザ識別子と共に保持する保持工程と、
取得手段が、クライアント装置のユーザからＷｅｂブラウザを介して前記Ｗｅｂサーバにジョブの履歴の閲覧要求があった場合に、前記保持工程で保持された履歴から閲覧要求をしたユーザのユーザ識別子と一致するユーザ識別子を有する履歴を取得する取得工程と、
作成手段が、前記取得工程で取得した履歴に基づいて、更新情報を配信するためのファイルを作成する作成工程と、
送信手段が、前記作成工程で作成されたファイルを前記Ｗｅｂブラウザに送信する送信工程と
を有することを特徴とするシステムの制御方法。
【手続補正２】
【補正対象書類名】明細書
【補正対象項目名】０００８
【補正方法】変更
【補正の内容】
【０００８】
かかる課題を解決するために、本発明の情報処理装置は、Ｗｅｂサーバが動作してサービスの提供を制御する情報処理装置とＷｅｂブラウザが動作して該サービスが提供されるクライアント装置とがネットワークを介して接続されたＷｅｂ環境で動作するシステムにおける前記情報処理装置であって、サービスを提供するジョブの履歴を該サービスを要求したユーザのユーザ識別子と共に保持する保持手段と、クライアント装置のユーザからＷｅｂブラウザを介して前記Ｗｅｂサーバにジョブの履歴の閲覧要求があった場合に、前記保持手段に保持された履歴から閲覧要求をしたユーザのユーザ識別子と一致するユーザ識別子を有する履歴を取得する取得手段と、前記取得手段が取得した履歴に基づいて、更新情報を配信するためのファイルを作成する作成手段と、前記作成手段により作成されたファイルを前記Ｗｅｂブラウザに送信する送信手段とを有することを特徴とする。